(57)【要約】【課題】基地局装置がユーザによって設置された場合であっても、基地局装置の設置位置をサービス事業者側で容易に確認できる無線通信システム、基地局装置、サーバ、基地局装置の設置位置確認方法を提供する。【解決手段】無線通信端末１００でＧＤＰ信号に基づいて位置情報を生成する。無線通信端末１００は、生成した位置情報をフェムトセル基地局装置２００へ送る。フェムトセル基地局装置２００は、無線通信端末１００から得た位置情報とフェムトセル基地局装置２００の識別番号とをＡＡＡサーバ３００へ送る。ＡＡＡサーバ３００は、フェムトセル基地局装置２００から送られた位置情報とフェムトセル基地局装置２００の識別番号とから、フェムトセル基地局装置２００が登録された位置に設置されているか否かを確認する。【選択図】図５
2010219753.tif 000002
【特許請求の範囲】
【請求項１】
無線通信端末と、
前記無線通信端末と無線通信する基地局装置と、
前記基地局装置と有線又は無線により接続されており前記無線通信端末及び前記基地局装置に関する情報を管理するサーバと、
を備えた無線通信システムであって、
無線通信端末は、
複数の人工衛星及び複数の基地局装置の少なくとも一方から取得する情報に基づいて当該無線通信端末の位置情報を生成する位置情報生成手段と、
前記位置情報生成手段が生成した前記位置情報を当該無線通信端末が通信を行っている基地局装置に対して送信する端末内位置情報送信手段と、
を備え、
前記基地局装置は、
前記端末内位置情報送信手段から前記位置情報を受信する基地局内位置情報受信手段と、
前記基地局内位置情報受信手段が受信した前記位置情報を当該基地局装置の識別番号と関連付けて前記サーバへ送信する基地局内位置情報送信手段と、
を備え、
前記サーバは、
前記基地局装置の登録住所を前記基地局装置の前記識別番号と関連付けて予め記憶する登録住所記憶手段と、
前記基地局内位置情報送信手段から前記位置情報及び前記識別番号を受信するサーバ内位置情報受信手段と、
前記サーバ内位置情報受信手段が受信した前記位置情報及び前記識別番号と、前記登録住所記憶手段が記憶している前記登録住所及び前記識別番号とを比較し、前記基地局装置が前記登録住所に設置されているか否かを確認する設置位置確認手段と、
を備えることを特徴とする無線通信システム。
【請求項２】
請求項１に記載の無線通信システムにおいて、
前記設置位置確認手段は、前記登録住所により特定される位置と前記位置情報により特定される位置との距離を算出し、前記距離に基づいて前記基地局装置が前記登録住所に設置されているか否かを確認すること、
を特徴とする無線通信システム。
【請求項３】
請求項１又は請求項２に記載の無線通信システムにおいて、
前記位置情報生成手段は、前記位置情報を生成するとともにその生成時刻を取得し、
前記端末内位置情報送信手段は、前記生成時刻を前記位置情報と関連付けて前記基地局装置へ送信し、
前記基地局内位置情報受信手段は、前記位置情報とともに前記生成時刻を受信し、
前記基地局内位置情報送信手段は、前記基地局内位置情報受信手段が受信した前記位置情報を当該基地局装置の識別番号及び前記生成時刻と関連付けて前記サーバへ送信し、
前記設置位置確認手段は、前記生成時刻から前記位置情報を前記サーバ内位置情報受信手段が受信した時刻までの時間を求め、求めた前記時間を前記基地局装置が前記登録住所に設置されているか否かの確認に用いること、
を特徴とする無線通信システム。
【請求項４】
請求項１から請求項３までのいずれか１項に記載の無線通信システムにおいて、
前記基地局装置は、フェムトセル基地局装置であること、
を特徴とする無線通信システム。
【請求項５】
無線通信端末と無線通信するとともに、サーバと有線又は無線により接続されて通信を行う基地局装置であって、
前記無線通信端末から位置情報を受信する基地局内位置情報受信手段と、
前記基地局内位置情報受信手段が受信した前記位置情報を当該基地局装置の識別番号と関連付けて前記サーバへ送信する基地局内位置情報送信手段と、
を備えること、
を特徴とする基地局装置。
【請求項６】
無線通信端末と無線通信する基地局装置と有線又は無線により接続されており前記無線通信端末及び前記基地局装置に関する情報を管理するサーバであって、
前記基地局装置の登録住所を前記基地局装置の識別番号と関連付けて予め記憶する登録住所記憶手段と、
前記基地局装置から位置情報及び識別番号を受信するサーバ内位置情報受信手段と、
前記サーバ内位置情報受信手段が受信した前記位置情報及び前記識別番号と、前記登録住所記憶手段が記憶している前記登録住所及び前記識別番号とを比較し、前記基地局装置が前記登録住所に設置されているか否かを確認する設置位置確認手段と、
を備えること、
を特徴とするサーバ。
【請求項７】
請求項６に記載の無線通信システムにおいて、
前記設置位置確認手段は、前記登録住所により特定される位置と前記位置情報により特定される位置との距離を算出し、前記距離に基づいて前記基地局装置が前記登録住所に設置されているか否かを確認すること、
を特徴とするサーバ。
【請求項８】
無線通信端末と、
前記無線通信端末と無線通信する基地局装置と、
前記基地局装置と有線又は無線により接続されており前記無線通信端末及び前記基地局装置に関する情報を管理するサーバと、
を備えた無線通信システムにおける基地局装置の設置位置確認方法であって、
無線通信端末は、
複数の人工衛星及び複数の基地局装置の少なくとも一方から取得する情報に基づいて当該無線通信端末の位置情報を生成する位置情報生成ステップと、
前記位置情報生成ステップで生成した前記位置情報を当該無線通信端末が通信を行っている基地局装置に対して送信する端末内位置情報送信ステップと、
を行い、
前記基地局装置は、
前記端末内位置情報送信ステップで送信された前記位置情報を受信する基地局内位置情報受信ステップと、
前記基地局内位置情報受信ステップで受信した前記位置情報を当該基地局装置の識別番号と関連付けて前記サーバへ送信する基地局内位置情報送信ステップと、
を行い、
前記サーバは、
前記基地局装置の登録住所を前記基地局装置の前記識別番号と関連付けて予め記憶する登録住所記憶ステップと、
前記基地局内位置情報送信ステップで送信された前記位置情報及び前記識別番号を受信するサーバ内位置情報受信ステップと、
前記サーバ内位置情報受信ステップで受信した前記位置情報及び前記識別番号と、前記登録住所記憶ステップで記憶した前記登録住所及び前記識別番号とを比較し、前記基地局装置が前記登録住所に設置されているか否かを確認する設置位置確認ステップと、
を備えることを特徴とする基地局装置の設置位置確認方法。
【発明の詳細な説明】
【技術分野】
【０００１】
本発明は、携帯電話システム等の無線通信システム、基地局装置、サーバ、基地局装置の設置位置確認方法に関するものである。
【背景技術】
【０００２】
近年、携帯電話システムでは、複数種類の基地局装置が使い分けられている。従来から用いられている比較的大規模な基地局装置は、半径数百ｍ〜十数ｋｍの通話エリアを持ち、マクロセルと呼ばれている（以下、マクロセル基地局装置）。また、半径十ｍ程度の通話エリアしか持たないフェムトセルと呼ばれる超小型基地局が開発されている（以下、フェムトセル基地局装置）。マクロセル基地局装置に対して、ナノセル、ピコセルと呼ばれる小型基地局が従来から使われている。フェムトセル基地局装置は、これら小型基地局よりもさらに通話エリアが狭く、マクロセル基地局装置等からの電波が届きにくい個人の家屋内等での利用に適した基地局装置である。
【０００３】
マクロセル基地局装置は、携帯電話サービス事業者が自ら設置するので、その設置場所を携帯電話サービス事業者が把握することができる。マクロセル基地局装置の設置場所に関する情報は、携帯電話サービス事業者のサーバに登録されている。
【０００４】
フェムトセル基地局装置は、一般ユーザ又は携帯電話サービス事業者によって設置される。フェムトセル基地局装置が一般ユーザによって設置される場合、携帯電話サービス事業者は、フェムトセル基地局装置をユーザに貸与又は譲渡するときに、その設置場所の住所等をユーザからの申し出により知ることができる。
【０００５】
携帯機器や車両等の位置を特定する技術として、ＧＰＳ（Global Positioning System）を用いた測位技術が知られている（例えば、特許文献１）。また、複数の基地局装置を用いて携帯電話端末の位置を特定する技術が知られている（例えば、特許文献２）。
【先行技術文献】
【特許文献】
【０００６】
【特許文献１】特開２００８−２４９７２３号公報
【特許文献２】特開２００８−３００９２３号公報
【発明の概要】
【発明が解決しようとする課題】
【０００７】
しかし、当該フェムトセル基地局装置が申し出された通りの位置に設置されているか否かの確認をするためには、携帯電話サービス事業者自らが実際にその住所に赴き確認する必要があった。したがって、フェムトセル基地局装置の設置場所を確認することが困難であった。
【０００８】
また、上記特許文献１の技術や特許文献２の技術をフェムトセル基地局装置に適用するためには、フェムトセル基地局装置に対して新たに測位装置や測位回路等を追加する必要があった。その場合、フェムトセル基地局装置の大型化や高価格化を招くおそれがあった。
【０００９】
さらに、フェムトセル基地局装置は、マクロセル基地局装置からの電波が届きにくい場所の電波状況を改善するために設置されることが多い。その場合には、複数の基地局装置を用いてフェムトセル基地局装置の設置位置を特定することができなかった。
【００１０】
本発明の課題は、基地局装置がユーザによって設置された場合であっても、基地局装置の設置位置をサービス事業者側で容易に確認できる無線通信システム、基地局装置、サーバ、基地局装置の設置位置確認方法を提供することである。
【課題を解決するための手段】
【００１１】
本発明は、上記の課題を解決するために、以下の事項を提案している。なお、理解を容易にするために、本発明の実施形態に対応する符号を付して説明するが、これに限定されるものではない。
【００１２】
（１）本発明は、無線通信端末（１００）と、前記無線通信端末と無線通信する基地局装置（２００）と、前記基地局装置と有線又は無線により接続されており前記無線通信端末及び前記基地局装置に関する情報を管理するサーバ（３００）とを備えた無線通信システムであって、無線通信端末は、複数の人工衛星（４００）及び複数の基地局装置の少なくとも一方から取得する情報に基づいて当該無線通信端末の位置情報を生成する位置情報生成手段（１０２）と、前記位置情報生成手段が生成した前記位置情報を当該無線通信端末が通信を行っている基地局装置（２００）に対して送信する端末内位置情報送信手段（１０６）とを備え、前記基地局装置は、前記端末内位置情報送信手段から前記位置情報を受信する基地局内位置情報受信手段（２０２）と、前記基地局内位置情報受信手段が受信した前記位置情報を当該基地局装置の識別番号と関連付けて前記サーバへ送信する基地局内位置情報送信手段（２０６）とを備え、前記サーバは、前記基地局装置の登録住所を前記基地局装置の前記識別番号と関連付けて予め記憶する登録住所記憶手段（３０４）と、前記基地局内位置情報送信手段から前記位置情報及び前記識別番号を受信するサーバ内位置情報受信手段（３０２）と、前記サーバ内位置情報受信手段が受信した前記位置情報及び前記識別番号と、前記登録住所記憶手段が記憶している前記登録住所及び前記識別番号とを比較し、前記基地局装置が前記登録住所に設置されているか否かを確認する設置位置確認手段（３０６）とを備えることを特徴とする無線通信システムを提案している。
【００１３】
この発明によれば、位置情報生成手段は、複数の人工衛星及び複数の基地局装置の少なくとも一方から取得する情報に基づいて当該無線通信端末の位置情報を生成する。端末内位置情報送信手段は、位置情報生成手段が生成した位置情報を当該無線通信端末が通信を行っている基地局装置に対して送信する。基地局内位置情報受信手段は、端末内位置情報送信手段から位置情報を受信する。基地局内位置情報送信手段は、基地局内位置情報受信手段が受信した位置情報を当該基地局装置の識別番号と関連付けてサーバへ送信する。登録住所記憶手段は、基地局装置の登録住所を基地局装置の識別番号と関連付けて予め記憶する。サーバ内位置情報受信手段は、基地局内位置情報送信手段から位置情報及び識別番号を受信する。設置位置確認手段は、サーバ内位置情報受信手段が受信した位置情報及び識別番号と、登録住所記憶手段が記憶している登録住所及び識別番号とを比較し、基地局装置が登録住所に設置されているか否かを確認する。したがって、基地局装置がユーザによって設置された場合であっても、基地局装置の設置位置をサービス事業者側で容易に確認できる。
【００１４】
（２）本発明は、（１）に記載の無線通信システムにおいて、前記設置位置確認手段（３０６）は、前記登録住所により特定される位置と前記位置情報により特定される位置との距離を算出し、前記距離に基づいて前記基地局装置（２００）が前記登録住所に設置されているか否かを確認することを特徴とする無線通信システムを提案している。
【００１５】
この発明によれば、設置位置確認手段は、登録住所により特定される位置と位置情報により特定される位置との距離を算出し、距離に基づいて基地局装置が登録住所に設置されているか否かを確認する。したがって、基地局装置が登録住所に設置されているか否かを簡単に判定できる。
【００１６】
（３）本発明は、（１）又は（２）に記載の無線通信システムにおいて、前記位置情報生成手段（１０２）は、前記位置情報を生成するとともにその生成時刻を取得し、前記端末内位置情報送信手段（１０６）は、前記生成時刻を前記位置情報と関連付けて前記基地局装置へ送信し、前記基地局内位置情報受信手段（２０２）は、前記位置情報とともに前記生成時刻を受信し、前記基地局内位置情報送信手段（２０６）は、前記基地局内位置情報受信手段が受信した前記位置情報を当該基地局装置（２００）の識別番号及び前記生成時刻と関連付けて前記サーバ（３００）へ送信し、前記設置位置確認手段（３０６）は、前記生成時刻から前記位置情報を前記サーバ内位置情報受信手段（３０２）が受信した時刻までの時間を求め、求めた前記時間を前記基地局装置が前記登録住所に設置されているか否かの確認に用いることを特徴とする無線通信システムを提案している。
【００１７】
この発明によれば、位置情報生成手段は、位置情報を生成するとともにその生成時刻を取得する。端末内位置情報送信手段は、生成時刻を位置情報と関連付けて基地局装置へ送信する。基地局内位置情報受信手段は、位置情報とともに生成時刻を受信する。基地局内位置情報送信手段は、基地局内位置情報受信手段が受信した位置情報を当該基地局装置の識別番号及び生成時刻と関連付けてサーバへ送信する。設置位置確認手段は、生成時刻から位置情報をサーバ内位置情報受信手段が受信した時刻までの時間を求め、求めた時間を基地局装置が登録住所に設置されているか否かの確認に用いる。したがって、位置情報を登録住所で取得した後に全く別の場所に設置された基地局装置の近くまで前記無線通信端末を移動して位置確認を行うといった不正を防止できる。これにより、基地局装置の設置位置の確認を、さらに高い信頼性をもって行える。
【００１８】
（４）本発明は、（１）から（３）までのいずれかに記載の無線通信システムにおいて、前記基地局装置（２００）は、フェムトセル基地局装置であることを特徴とする無線通信システムを提案している。
【００１９】
この発明によれば、基地局装置は、フェムトセル基地局装置である。したがって、無線通信端末の生成する位置情報を基地局装置の位置情報とみなしても誤差が小さくなり、より高い精度で基地局装置が登録住所に設置されているか否かを判定できる。
【００２０】
（５）本発明は、無線通信端末（１００）と無線通信するとともに、サーバ（３００）と有線又は無線により接続されて通信を行う基地局装置（２００）であって、前記無線通信端末から位置情報を受信する基地局内位置情報受信手段（２０２）と、前記基地局内位置情報受信手段が受信した前記位置情報を当該基地局装置の識別番号と関連付けて前記サーバへ送信する基地局内位置情報送信手段（２０６）とを備えることを特徴とする基地局装置を提案している。
【００２１】
この発明によれば、基地局内位置情報受信手段は、無線通信端末から位置情報を受信する。基地局内位置情報送信手段は、基地局内位置情報受信手段が受信した位置情報を当該基地局装置の識別番号と関連付けてサーバへ送信する。したがって、当該基地局装置がユーザによって設置された場合であっても、基地局装置の設置位置をサービス事業者側で容易に確認できる。
【００２２】
（６）本発明は、無線通信端末（１００）と無線通信する基地局装置（２００）と有線又は無線により接続されており前記無線通信端末及び前記基地局装置に関する情報を管理するサーバ（３００）であって、前記基地局装置の登録住所を前記基地局装置の識別番号と関連付けて予め記憶する登録住所記憶手段（３０４）と、前記基地局装置から位置情報及び識別番号を受信するサーバ内位置情報受信手段（３０２）と、前記サーバ内位置情報受信手段が受信した前記位置情報及び前記識別番号と、前記登録住所記憶手段が記憶している前記登録住所及び前記識別番号とを比較し、前記基地局装置が前記登録住所に設置されているか否かを確認する設置位置確認手段（３０６）とを備えることを特徴とするサーバを提案している。
【００２３】
この発明によれば、登録住所記憶手段は、基地局装置の登録住所を基地局装置の識別番号と関連付けて予め記憶する。サーバ内位置情報受信手段は、基地局装置から位置情報及び識別番号を受信する。設置位置確認手段は、サーバ内位置情報受信手段が受信した位置情報及び識別番号と、登録住所記憶手段が記憶している登録住所及び識別番号とを比較し、基地局装置が登録住所に設置されているか否かを確認する。したがって、基地局装置がユーザによって設置された場合であっても、基地局装置の設置位置をサービス事業者側で容易に確認できる。
【００２４】
（７）本発明は、（６）に記載の無線通信システムにおいて、前記設置位置確認手段（３０６）は、前記登録住所により特定される位置と前記位置情報により特定される位置との距離を算出し、前記距離に基づいて前記基地局装置（２００）が前記登録住所に設置されているか否かを確認することを特徴とするサーバを提案している。
【００２５】
この発明によれば、設置位置確認手段は、登録住所により特定される位置と位置情報により特定される位置との距離を算出し、この距離に基づいて基地局装置が登録住所に設置されているか否かを確認する。したがって、基地局装置が登録住所に設置されているか否かを簡単に判定できる。
【００２６】
（８）本発明は、無線通信端末（１００）と、前記無線通信端末と無線通信する基地局装置（２００）と、前記基地局装置と有線又は無線により接続されており前記無線通信端末及び前記基地局装置に関する情報を管理するサーバ（３００）とを備えた無線通信システムにおける基地局装置の設置位置確認方法であって、無線通信端末は、複数の人工衛星（４００）及び複数の基地局装置の少なくとも一方から取得する情報に基づいて当該無線通信端末の位置情報を生成する位置情報生成ステップ（Ｓ２０）と、前記位置情報生成ステップで生成した前記位置情報を当該無線通信端末が通信を行っている基地局装置に対して送信する端末内位置情報送信ステップ（Ｓ３０）とを行い、前記基地局装置は、前記端末内位置情報送信ステップで送信された前記位置情報を受信する基地局内位置情報受信ステップ（Ｓ３０，Ｓ４０）と、前記基地局内位置情報受信ステップで受信した前記位置情報を当該基地局装置の識別番号と関連付けて前記サーバへ送信する基地局内位置情報送信ステップ（Ｓ５０）とを行い、前記サーバは、前記基地局装置の登録住所を前記基地局装置の前記識別番号と関連付けて予め記憶する登録住所記憶ステップと、前記基地局内位置情報送信ステップで送信された前記位置情報及び前記識別番号を受信するサーバ内位置情報受信ステップ（Ｓ５０，Ｓ６０）と、前記サーバ内位置情報受信ステップで受信した前記位置情報及び前記識別番号と、前記登録住所記憶ステップで記憶した前記登録住所及び前記識別番号とを比較し、前記基地局装置が前記登録住所に設置されているか否かを確認する設置位置確認ステップ（Ｓ６０）とを備えることを特徴とする基地局装置の設置位置確認方法を提案している。
【００２７】
この発明によれば、位置情報生成ステップは、複数の人工衛星及び複数の基地局装置の少なくとも一方から取得する情報に基づいて当該無線通信端末の位置情報を生成する。端末内位置情報送信ステップは、位置情報生成ステップで生成した位置情報を当該無線通信端末が通信を行っている基地局装置に対して送信する。基地局内位置情報受信ステップは、端末内位置情報送信ステップで送信された位置情報を受信する。基地局内位置情報送信ステップは、基地局内位置情報受信ステップで受信した位置情報を当該基地局装置の識別番号と関連付けてサーバへ送信する。登録住所記憶ステップは、基地局装置の登録住所を基地局装置の識別番号と関連付けて予め記憶する。サーバ内位置情報受信ステップは、基地局内位置情報送信ステップで送信された位置情報及び識別番号を受信する。設置位置確認ステップは、サーバ内位置情報受信ステップで受信した位置情報及び識別番号と、登録住所記憶ステップで記憶した登録住所及び識別番号とを比較し、基地局装置が登録住所に設置されているか否かを確認する。したがって、基地局装置がユーザによって設置された場合であっても、基地局装置の設置位置をサービス事業者側で容易に確認できる。
【発明の効果】
【００２８】
本発明によれば、基地局装置がユーザによって設置された場合であっても、基地局装置の設置位置をサービス事業者側で容易に確認できる。また、ＧＰＳ等の位置情報取得手段を持たない基地局装置であっても、その設置場所の正当性を確認できる。したがって、サービス提供地域以外での起動等、不正な位置での利用を容易に発見できる。
【図面の簡単な説明】
【００２９】
【図１】本発明による無線通信システムの実施形態を示す図である。
【図２】無線通信端末１００の装置構成を示す図である。
【図３】フェムトセル基地局装置２００の装置構成を示す図である。
【図４】ＡＡＡサーバ３００の装置構成を示す図である。
【図５】フェムトセル基地局装置２００の設置位置を確認する動作を示すフローチャートである。
【図６】第２実施形態においてフェムトセル基地局装置２００の設置位置を確認する動作を示すフローチャートである。
【発明を実施するための形態】
【００３０】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３１】
（第１実施形態）
図１は、本発明による無線通信システムの実施形態を示す図である。
本実施形態の無線通信システムは、無線通信端末１００、フェムトセル基地局装置２００、ＡＡＡサーバ３００を備えている。また、本実施形態の無線通信システムは、ＧＰＳ（Global Positioning System）衛星４００からの電波を利用する。さらに、無線通信システムには、上述した他に不図示のマクロセル基地局装置等、従来の携帯電話サービスに用いられている各種装置も含まれる。そして、無線通信端末１００は、マクロセル基地局装置との間での無線通信も可能である。なお、以下の説明では、理解を容易にするために、フェムトセル基地局装置２００との間で無線通信を行っている場合についてのみ説明を行う。
【００３２】
図２は、無線通信端末１００の装置構成を示す図である。
無線通信端末１００は、アンテナ部１０１、位置情報生成部１０２、メモリ部１０３、制御部１０４、無線通信部１０５等を備えた携帯電話機である。
【００３３】
アンテナ部１０１は、複数のＧＰＳ衛星４００からの電波を受信し、位置情報生成部１０２へ送る。
位置情報生成部１０２は、複数のＧＰＳ衛星４００からの電波に含まれる時刻情報とそれぞれの軌道情報とを用いて、無線通信端末１００の位置情報を生成する。ここで、生成する位置情報とは、無線通信端末１００の存在する位置を緯度及び経度として表すものである。
【００３４】
メモリ部１０３は、無線通信端末１００に関する各種情報を格納する記憶部である。メモリ部１０３には、無線通信端末１００に固有の端末識別番号、及び、電話番号等が記憶されている。なお、図２では、メモリ部１０３が無線通信端末１００内に固定されている形態で示しているが、固有情報を記憶する部分をＳＩＭカード（Subscriber Identity Module Card）に形成してもよい。
【００３５】
制御部１０４は、無線通信端末１００の動作を統括して制御するマイコンである。制御部１０４は、位置情報生成部１０２、メモリ部１０３、無線通信部１０５に接続されている。
【００３６】
無線通信部１０５は、制御部１０４からの指示に応じて、不図示のマクロセル基地局装置と無線通信を行う。また、制御部１０４からの指示に応じて、後述のフェムトセル基地局装置２００と無線通信を行う。さらに、無線通信部１０５は、端末内位置情報送信部１０６を備えている。
端末内位置情報送信部１０６は、位置情報生成部１０２が生成した位置情報を無線通信端末１００が通信を行っている基地局装置であるフェムトセル基地局装置２００に対して送信する。
【００３７】
図３は、フェムトセル基地局装置２００の装置構成を示す図である。
フェムトセル基地局装置２００は、小型で出力が小さく、ナノセル、ピコセルと呼ばれる従来から使われている小型基地局よりもさらに通話エリア（無線電波エリア）が狭く、マクロセル等からの電波が届きにくい個人家屋内等での利用に適した超小型無線基地局装置である。本実施形態のフェムトセル基地局装置２００は、半径十ｍ程度の通話エリアを持ち、例えばユーザの家屋内での利用を想定して携帯電話サービス事業者によりユーザに提供される基地局装置である。
フェムトセル基地局装置２００は、無線通信部２０１、メモリ部２０３、制御部２０４、有線通信部２０５を備えている。
【００３８】
無線通信部２０１は、制御部２０４からの指示に応じて、無線通信端末１００と無線通信を行う。また、無線通信部２０１は、基地局内位置情報受信部２０２を備えている。
基地局内位置情報受信部２０２は、無線通信端末１００の端末内位置情報送信部１０６から無線通信端末１００の位置情報を受信する。
【００３９】
メモリ部２０３は、フェムトセル基地局装置２００に関する各種情報を格納する記憶部である。本実施形態のメモリ部２０３には、フェムトセル基地局装置２００に固有の識別番号が記憶されている。
【００４０】
制御部２０４は、フェムトセル基地局装置２００の動作を統括して制御するマイコンである。制御部２０４は、無線通信部２０１、メモリ部２０３、有線通信部２０５に接続されている。
【００４１】
有線通信部２０５は、フェムトセル基地局装置２００とＡＡＡサーバ３００との間を接続するアクセス回線が接続されており、ＡＡＡサーバ３００との間で有線通信を行う。このアクセス回線は、ＡＤＳＬ（Asymmetric Digital Subscriber Line）、ＦＴＴＨ（Fiber To The Home）、ＣＡＴＶ（Community Antenna TeleVision）等、インターネットに接続するアクセス回線である場合や、専用線等、当該装置のために帯域を占有可能なアクセス回線等である。また、有線通信部２０５は、基地局内位置情報送信部２０６を備えている。
基地局内位置情報送信部２０６は、基地局内位置情報受信部２０２が受信した無線通信端末１００の位置情報をフェムトセル基地局装置２００の識別番号と関連付けてＡＡＡサーバ３００へ送信する。
【００４２】
図４は、ＡＡＡサーバ３００の装置構成を示す図である。
ＡＡＡサーバ３００は、有線通信部３０１、メモリ部３０３、制御部３０５、設置位置確認部３０６を備えている。ＡＡＡサーバ３００は、携帯電話サービスに関する認証処理と、認可処理と、課金処理とを行うサーバであり、無線通信端末１００及びフェムトセル基地局装置２００に関する情報を管理する。
【００４３】
有線通信部３０１は、フェムトセル基地局装置２００とＡＡＡサーバ３００との間を接続するアクセス回線が接続されており、フェムトセル基地局装置２００との間で有線通信を行う。また、有線通信部３０１には、不図示の専用回線が接続されており、この専用回線を介して不図示のマクロセル基地局装置等、他の基地局との有線通信も可能である。さらに、有線通信部３０１は、サーバ内位置情報受信部３０２を備えている。
サーバ内位置情報受信部３０２は、フェムトセル基地局装置２００の基地局内位置情報送信部２０６から無線通信端末１００の位置情報及びフェムトセル基地局装置２００の識別番号を受信する。
【００４４】
メモリ部３０３は、携帯電話サービスに関する認証処理と、認可処理と、課金処理とに関する各種情報を格納する記憶部である。また、メモリ部３０３は、登録住所記憶部３０４を備えている。
登録住所記憶部３０４は、フェムトセル基地局装置２００の登録住所をフェムトセル基地局装置２００の識別番号と関連付けて予め記憶する。登録住所記憶部３０４へフェムトセル基地局装置２００の登録住所と識別番号とを記憶させる処理（登録住所記憶ステップ）は、フェムトセル基地局装置２００をユーザに貸与又は譲渡するときに、携帯電話サービス事業者のオペレータ等が行う。なお、登録住所記憶部３０４に登録される登録住所は、番地をそのままの形態で記憶してもよいし、緯度経度の情報に変換して記憶してもよい。
【００４５】
制御部３０５は、ＡＡＡサーバ３００の動作を統括して制御する。制御部３０５は、有線通信部３０１、メモリ部３０３、設置位置確認部３０６に接続されている。
設置位置確認部３０６は、フェムトセル基地局装置２００が登録住所に設置されているか否かを確認する。すなわち、設置位置確認部３０６は、フェムトセル基地局装置２００の登録住所に、フェムトセル基地局装置２００が正しく設置されているか否かの正当性を確認する。具体的には、設置位置確認部３０６は、サーバ内位置情報受信部３０２が受信した無線通信端末１００の位置情報及びフェムトセル基地局装置２００の識別番号と、登録住所記憶部３０４が記憶している登録住所及びフェムトセル基地局装置２００の識別番号とを比較する。
【００４６】
より詳しく説明すると、設置位置確認部３０６は、登録住所から決まる登録住所の緯度及び経度と、無線通信端末１００の位置情報に含まれる緯度及び経度とを用いて、登録住所の位置と無線通信端末１００の位置情報が示す位置との距離を算出する。そして、設置位置確認部３０６は、この距離が予め設定した閾値よりも小さいか否かを判断する。設置位置確認部３０６は、算出した距離が閾値よりも小さいときには、フェムトセル基地局装置２００が登録住所に正しく設置されているものと判断する。一方、算出した距離が閾値よりも大きいときには、設置位置確認部３０６は、フェムトセル基地局装置２００が登録住所に正しく設置されていないものと判断する。本実施形態では、位置情報としてＧＰＳ衛星を利用するため、算出した距離と比較する閾値は５０ｍ程度が望ましい。
【００４７】
ここで、設置位置確認部３０６は、フェムトセル基地局装置２００ではなく無線通信端末１００の位置情報を用いてフェムトセル基地局装置２００が登録住所に設置されているか否かを確認する。このような確認が有効に行える理由を以下に説明する。無線通信端末１００は、フェムトセル基地局装置２００と通信可能な位置において、ＧＰＳ衛星を用いて位置情報を生成している。先に説明したように、本実施形態のフェムトセル基地局装置２００は、半径十ｍ程度の通話エリアしか持たない。したがって、無線通信端末１００とフェムトセル基地局装置２００との距離は、十ｍ以内である。よって、ＧＰＳ衛星を用いて無線通信端末１００が生成した位置情報は、十ｍ程度の誤差を含むものの、この誤差を許容すれば、フェムトセル基地局装置２００の位置情報とみなすことができる。フェムトセル基地局装置２００の位置情報とみなした無線通信端末１００の位置情報は、十ｍ程度の誤差を含むとしても、フェムトセル基地局装置２００が登録住所に設置されているか否かを確認するためには十分な精度を持っている。よって、設置位置確認部３０６は、無線通信端末１００の位置情報を用いてフェムトセル基地局装置２００が登録住所に設置されているか否かを確認することができる。
【００４８】
次に、本実施形態の無線通信システムにおいて、無線通信端末１００を利用してフェムトセル基地局装置２００の設置位置を確認する動作について説明する。
図５は、フェムトセル基地局装置２００の設置位置を確認する動作を示すフローチャートである。
【００４９】
ステップ１０（以下、Ｓとする）では、アンテナ部１０１は、複数のＧＰＳ衛星４００からＧＰＳ信号を受信する。
Ｓ２０では、位置情報生成部１０２は、Ｓ１０で受信したＧＰＳ信号に基づいて無線通信端末１００の位置情報を生成する（位置情報生成ステップ）。また、メモリ部１０３は、生成された無線通信端末１００の位置情報を記憶する。
【００５０】
Ｓ３０では、端末内位置情報送信部１０６は、Ｓ２０で生成した無線通信端末１００の位置情報をフェムトセル基地局装置２００へ送信する（端末内位置情報送信ステップ）。
Ｓ４０では、基地局内位置情報受信部２０２は、無線通信端末１００から無線通信端末１００の位置情報を受信する（基地局内位置情報受信ステップ）。また、メモリ部２０３は、無線通信端末１００の位置情報を記憶する。
【００５１】
Ｓ５０では、基地局内位置情報送信部２０６は、Ｓ３０で無線通信端末１００から送信された無線通信端末１００の位置情報に、メモリ部２０３に記憶されているフェムトセル基地局装置２００の識別番号を関連付けて、ＡＡＡサーバ３００へ送信する（基地局内位置情報送信ステップ）。
【００５２】
Ｓ６０では、サーバ内位置情報受信部３０２は、フェムトセル基地局装置２００から無線通信端末１００の位置情報とフェムトセル基地局装置２００の識別番号とを受信する（サーバ内位置情報受信ステップ）。また、メモリ部３０３は、サーバ内位置情報受信部３０２が受信した無線通信端末１００の位置情報とフェムトセル基地局装置２００の識別番号とを紐付けて保存する。さらに、設置位置確認部３０６は、フェムトセル基地局装置２００の登録住所に、フェムトセル基地局装置２００が正しく設置されているか否かの正当性を確認する（設置位置確認ステップ）。具体的には、まず、設置位置確認部３０６は、サーバ内位置情報受信部３０２が受信した識別番号から、登録住所記憶部３０４に予め保存されているフェムトセル基地局装置２００の登録住所を見つけ出す。次に、設置位置確認部３０６は、登録住所から決まる登録住所の緯度及び経度と、無線通信端末１００の位置情報に含まれる緯度及び経度とを用いて、登録住所の位置と無線通信端末１００の位置情報が示す位置との距離を算出する。そして、設置位置確認部３０６は、この距離が予め設定した閾値よりも小さいか否かを判断することにより、フェムトセル基地局装置２００の設置位置の正当性を確認する。
【００５３】
Ｓ７０では、ＡＡＡサーバ３００の制御部３０５は、有線通信部３０１を介して、設置場所の確認結果をフェムトセル基地局装置２００へ送る。
Ｓ８０では、フェムトセル基地局装置２００は、ＡＡＡサーバ３００から設置場所の確認結果を受信して、設置場所の確認を終了する。
【００５４】
上述した図５に示したフェムトセル基地局装置２００の設置位置を確認する動作を行うきっかけは、例えば、フェムトセル基地局装置２００の電源が投入され、最初に無線通信端末端末１００がフェムトセル基地局装置２００に接続するときに行うとよい。その他、フェムトセル基地局装置２００の設置位置を確認する動作は、無線通信端末端末１００との一定接続時間毎ないし一定接続回数毎に行ってもよい。
【００５５】
以上説明したように、本実施形態によれば、フェムトセル基地局装置２００がユーザによって設置された場合であっても、無線通信端末１００を利用してフェムトセル基地局装置２００の設置位置をサービス事業者側で容易に確認できる。よって、ユーザが登録住所とは異なる位置にフェムトセル基地局装置２００を設置したとしても、それを簡単かつ確実に知ることができる。
【００５６】
（第２実施形態）
第２実施形態は、第１実施形態と同様な構成を有しているが、位置情報とともにその生成時刻を送受信し、生成時刻を設置位置の確認にも用いる点のみが、第１実施形態と異なっている。よって、前述した第１実施形態と同様の機能を果たす部分には、同一の符号を付して、重複する説明を適宜省略する。
図６は、第２実施形態においてフェムトセル基地局装置２００の設置位置を確認する動作を示すフローチャートである。
【００５７】
Ｓ１１０では、アンテナ部１０１は、複数のＧＰＳ衛星４００からＧＰＳ信号を受信する。
Ｓ１２０では、位置情報生成部１０２は、Ｓ１１０で受信したＧＰＳ信号に基づいて無線通信端末１００の位置情報を生成する（位置情報生成ステップ）とともに、その生成時刻を取得する。また、メモリ部１０３は、生成された無線通信端末１００の位置情報と生成時刻とを記憶する。
【００５８】
Ｓ１３０では、端末内位置情報送信部１０６は、Ｓ１２０で生成した無線通信端末１００の位置情報と取得した生成時刻とをフェムトセル基地局装置２００へ送信する（端末内位置情報送信ステップ）。
Ｓ１４０では、基地局内位置情報受信部２０２は、無線通信端末１００から無線通信端末１００の位置情報と生成時刻とを受信する（基地局内位置情報受信ステップ）。また、メモリ部２０３は、無線通信端末１００の位置情報と生成時刻とを記憶する。
【００５９】
Ｓ１５０では、基地局内位置情報送信部２０６は、Ｓ１３０で無線通信端末１００から送信された無線通信端末１００の位置情報に、生成時刻とメモリ部２０３に記憶されているフェムトセル基地局装置２００の識別番号を関連付けて、ＡＡＡサーバ３００へ送信する（基地局内位置情報送信ステップ）。
【００６０】
Ｓ１６０では、サーバ内位置情報受信部３０２は、フェムトセル基地局装置２００から無線通信端末１００の位置情報と生成時刻とフェムトセル基地局装置２００の識別番号とを受信する（サーバ内位置情報受信ステップ）。また、メモリ部３０３は、サーバ内位置情報受信部３０２が受信した無線通信端末１００の位置情報と生成時刻とフェムトセル基地局装置２００の識別番号とを紐付けて保存する。さらに、設置位置確認部３０６は、フェムトセル基地局装置２００の登録住所に、フェムトセル基地局装置２００が正しく設置されているか否かの正当性を確認する（設置位置確認ステップ）。
【００６１】
具体的には、まず、設置位置確認部３０６は、生成時刻から位置情報をサーバ内位置情報受信手段が受信した時刻までの時間を求める。そして、この求めた時間が予め設定した閾値時間よりも長い場合には、正当性の確認を中止する。すなわち、この場合、受信した位置情報がフェムトセル基地局装置２００が正しく設置されているか否かの正当性を確認するためには不適切であると判断する。そして、その旨をフェムトセル基地局装置２００へ伝える。
位置情報の生成時刻から位置情報をサーバ内位置情報受信手段が受信した時刻までの時間が長い場合、その時間が経過する間に無線通信端末１００が長距離の移動を行うことが可能である。したがって、無線通信端末１００がフェムトセル基地局装置２００の近隣に存在するとの確証が得られない。よって、本実施形態では、位置情報の生成時刻をフェムトセル基地局装置２００が登録住所に設置されているか否かの確認に利用している。
【００６２】
一方、求めた時間が予め設定した閾値時間内である場合には、設置位置確認部３０６は、正当性の確認を継続する。すなわち、設置位置確認部３０６は、サーバ内位置情報受信部３０２が受信した識別番号から、登録住所記憶部３０４に予め保存されているフェムトセル基地局装置２００の登録住所を見つけ出す。次に、設置位置確認部３０６は、登録住所から決まる登録住所の緯度及び経度と、無線通信端末１００の位置情報に含まれる緯度及び経度とを用いて、登録住所の位置と無線通信端末１００の位置情報が示す位置との距離を算出する。そして、設置位置確認部３０６は、この距離が予め設定した閾値よりも小さいか否かを判断することにより、フェムトセル基地局装置２００の設置位置の正当性を確認する。
【００６３】
Ｓ１７０では、ＡＡＡサーバ３００の制御部３０５は、有線通信部３０１を介して、設置場所の確認結果をフェムトセル基地局装置２００へ送る。
Ｓ１８０では、フェムトセル基地局装置２００は、ＡＡＡサーバ３００から設置場所の確認結果を受信して、設置場所の確認を終了する。
【００６４】
以上説明したように、第２実施形態によれば、フェムトセル基地局装置２００が登録住所に設置されているか否かの確認の信頼性をさらに高めることができる。
【００６５】
なお、フェムトセル基地局装置２００、ＡＡＡサーバ３００の処理をコンピュータ読み取り可能な記録媒体にそれぞれ記録し、この記録媒体に記録されたプログラムをそれぞれフェムトセル基地局装置２００、ＡＡＡサーバ３００に読み込ませ、実行することによって本発明の無線通信システム、基地局装置、サーバ、基地局装置の設置位置確認方法を実現することができる。ここでいうコンピュータシステムとは、ＯＳや周辺装置等のハードウェアを含む。
【００６６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６７】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００６８】
以上、この発明の実施形態につき、図面を参照して詳述してきたが、具体的な構成はこの実施形態に限られるものではなく、この発明の要旨を逸脱しない範囲の設計等も含まれる。
【００６９】
（変形形態）
（１）実施形態において、位置情報生成部１０２は、複数のＧＰＳ衛星４００からの電波を用いて、無線通信端末１００の位置情報を生成する例を示した。しかし、これに限らず、例えば、位置情報生成部１０２は、複数のマクロセル基地局装置からの電波を用いて位置情報を生成してもよい。また、位置情報生成部１０２は、ＧＰＳ衛星からの電波とマクロセル基地局装置からの電波の両方を用いて位置情報を生成してもよい。
【００７０】
（２）実施形態において、位置情報生成部１０２は、複数のＧＰＳ衛星４００からの電波を用いて、無線通信端末１００の位置情報を生成する例を示した。しかし、これに限らず、例えば、位置情報生成部１０２は、ＧＰＳ衛星以外の衛星からの電波を用いて無線通信端末１００の位置情報を生成してもよい。
【００７１】
（３）フェムトセル基地局装置２００は、ユーザの家屋内等に設置される場合が想定される。その場合、家屋内では、家屋の壁や屋根に遮られて無線通信端末１００がＧＰＳ衛星４００からの電波をうまく受信できないことがある。そのような場合には、無線通信端末１００がユーザに対して、空を見渡せる位置まで無線通信端末１００を移動させるように促す案内表示等を行ってもよい。
【００７２】
なお、実施形態及び変形形態は、適宜組み合わせて用いることもできるが、詳細な説明は省略する。
【符号の説明】
【００７３】
１００  無線通信端末
１０１  アンテナ部
１０２  位置情報生成部
１０３  メモリ部
１０４  制御部
１０５  無線通信部
１０６  端末内位置情報送信部
２００  フェムトセル基地局装置
２０１  無線通信部
２０２  基地局内位置情報受信部
２０３  メモリ部
２０４  制御部
２０５  有線通信部
２０６  基地局内位置情報送信部
３００  ＡＡＡサーバ
３０１  有線通信部
３０２  サーバ内位置情報受信部
３０３  メモリ部
３０４  登録住所記憶部
３０５  制御部
３０６  設置位置確認部
４００  ＧＰＳ衛星
【図１】
2010219753.tif 000003
【図２】
2010219753.tif 000004
【図３】
2010219753.tif 000005
【図４】
2010219753.tif 000006
【図５】
2010219753.tif 000007
【図６】
2010219753.tif 000008